(57)【特許請求の範囲】
【請求項１】
情報を通信終了後に配信するか判定する、サービス制御装置の判定部と、
情報を通信終了後に配信すると判定された場合には、通信終了後に情報を配信する旨の通知である情報配信通知を出力する通信部と、
上記情報配信通知が記憶される情報配信通知記憶部と、
上記情報配信通知記憶部に上記情報配信通知が記憶されている場合には、上記通信終了時に少なくとも移動通信端末と通信交換機との間の接続を継続させる接続継続部と、
上記接続が継続された状態において、上記移動通信端末に上記情報を配信する配信部と、
を含み、
上記情報は、上記通信で送受信されたパケット量又は上記通信が音声通話である場合にはその音声通話中に第三者から着信があったことを知らせる情報である、
通信サービス制御システム。
【請求項２】
情報を通信終了後に配信するか判定する、サービス制御装置の判定部と、
情報を通信終了後に配信すると判定された場合には、通信終了後に情報を配信する旨の通知である情報配信通知を通信交換機又は移動通信端末に出力する通信部と、
上記通信交換機又は上記移動通信端末に上記情報配信通知が記憶されている場合には上記通信終了時に少なくとも上記移動通信端末と上記通信交換機との間の接続を継続させる接続継続部により、上記通信終了後の、少なくとも移動通信端末と通信交換機との間の接続が継続された状態において、上記移動通信端末に上記情報を配信する配信部と、
を含み、
上記情報は、上記通信で送受信されたパケット量又は上記通信が音声通話である場合にはその音声通話中に第三者から着信があったことを知らせる情報である、
サービス制御装置。
【請求項３】
情報を通信終了後に配信するとサービス制御装置の判定部で判定された場合には、通信終了後に情報を配信する旨の通知である情報配信通知が記憶される情報配信通知記憶部と、
上記情報配信通知記憶部に上記情報配信通知が記憶されている場合には、上記通信終了時に少なくとも移動通信端末と通信交換機との間の接続を継続させて、サービス制御装置に対して上記移動通信端末に上記情報を配信させるようにする接続継続部と、
を含み、
上記情報は、上記通信で送受信されたパケット量又は上記通信が音声通話である場合にはその音声通話中に第三者から着信があったことを知らせる情報である、
通信交換機。
【請求項４】
情報を通信終了後に配信するとサービス制御装置の判定部で判定された場合には、通信終了後に情報を配信する旨の通知である情報配信通知が記憶される情報配信通知記憶部と、
上記情報配信通知記憶部に上記情報配信通知が記憶されている場合には、上記通信終了時に少なくとも移動通信端末と通信交換機との間の接続を継続させて、サービス制御装置に対して上記移動通信端末に上記情報を配信させるようにする接続継続部と、
を含み、
上記情報は、上記通信で送受信されたパケット量又は上記通信が音声通話である場合にはその音声通話中に第三者から着信があったことを知らせる情報である、
移動通信端末。
【請求項５】
サービス制御装置の判定部が、情報を通信終了後に配信するか判定する判定ステップと、
通信部が、情報を通信終了後に配信すると判定された場合には、通信終了後に情報を配信する旨の通知である情報配信通知を出力する通信ステップと、
接続継続部が、情報配信通知記憶部に上記情報配信通知が記憶されている場合には、上記通信終了時に少なくとも移動通信端末と通信交換機との間の接続を継続させる接続継続ステップと、
配信部が、上記接続が継続された状態において、上記移動通信端末に上記情報を配信する配信ステップと、
を含み、
上記情報は、上記通信で送受信されたパケット量又は上記通信が音声通話である場合にはその音声通話中に第三者から着信があったことを知らせる情報である、
通信サービス制御方法。
【発明の詳細な説明】
【技術分野】
【０００１】
この発明は、移動体通信において通信サービスを提供するための技術に関する。
【背景技術】
【０００２】
現在、オペレータからユーザに向けて情報を通知するサービスが多く存在している。例えば、圏外時に着信があった場合、圏内復帰後に着信があった旨をSMS (Short Message Service)を用いて通知するサービスや（例えば、非特許文献１参照。）、ユーザのいる場所や時間に応じた情報を配信するiコンシェルと呼ばれるサービスなどが知られている（例えば、非特許文献２参照。）。
【０００３】
上記非特許文献１及び２には記載されてはいないが、上記のようなオペレータからユーザに向けて情報を通知するサービスの一形態として、ユーザの通話等の通信の終了を契機に何かしらの情報を配信するサービスが提供されることが考えられる。例えば、接続単位でパケット量をカウントし通信終了と同時にパケット量を通知するサービスや、通話中に第三者から着信があった場合に通話終了とともに着信があったことを知らせるサービスが考えられる。
【０００４】
この際、一度通信を終了しているため情報の配信を行うためには、移動通信端末と接続処理を再度行う必要がある。すなわち、移動通信端末が在圏している通信交換機からPaging信号をその移動通信端末に送信し、その移動通信端末からの応答信号に応じて従来の接続処理を再度行うことが必要となる。
【先行技術文献】
【特許文献】
【０００５】
【非特許文献１】NTT docomo、”着信通知サービス”、［online］、［平成２３年１１月８日検索］、インターネット＜http://www.nttdocomo.co.jp/service/communication/incoming_info/＞
【非特許文献２】NTT docomo、”着信通知サービス”、［online］、［平成２３年１１月８日検索］、インターネット＜URL:http://www.nttdocomo.co.jp/service/customize/iconcier/index.html＞
【発明の概要】
【発明が解決しようとする課題】
【０００６】
しかし、上記のように通信終了後の情報配信のために接続処理を再度行うと、通信交換機及び無線基地局の処理負荷を増大させることになる。
【０００７】
この発明の課題は、通信交換機及び無線基地局の処理負荷を軽減した通信サービス制御システム及び方法、サービス制御装置、通信交換機、移動通信端末を提供することである。
【課題を解決するための手段】
【０００８】
この発明の一態様による通信サービス制御システムは、情報を通信終了後に配信するか判定する、サービス制御装置の判定部と、情報を通信終了後に配信すると判定された場合には、通信終了後に情報を配信する旨の通知である情報配信通知を出力する通信部と、情報配信通知が記憶される情報配信通知記憶部と、情報配信通知記憶部に情報配信通知が記憶されている場合には、通信終了時に少なくとも移動通信端末と通信交換機との間の接続を継続させる接続継続部と、接続が継続された状態において、移動通信端末に情報を配信する配信部と、を含む。配信部により配信される情報は、通信で送受信されたパケット量又は通信が音声通話である場合にはその音声通話中に第三者から着信があったことを知らせる情報である。
【発明の効果】
【０００９】
通信終了後の接続が継続された状態において情報配信を行うことにより、接続処理を再度行う必要がなくなるため、通信交換機及び無線基地局の処理負荷を軽減することができる。
【図面の簡単な説明】
【００１０】
【図１】通信サービス制御システムの例を説明するためのブロック図。
【図２】通信サービス制御システムの変形例を説明するためのブロック図。
【図３】通信サービス制御方法の例を説明するための流れ図。
【図４】通信サービス制御方法の変形例を説明するための流れ図。
【発明を実施するための形態】
【００１１】
以下、図面を参照してこの発明の一実施形態を説明する。
【００１２】
以下、通信として、移動通信端末１とインターネット６との間でパケット通信が行われる場合を例に挙げて説明をする。もちろん、通信は、音声通話等の他の通信であってもよい。
【００１３】
通信サービス制御システムは、図１に例示するように、移動通信端末１、無線基地局２、通信交換機３、サービス制御装置４及びゲートウェイ装置５を含み、これらの装置から構成されるネットワークにて実現される。ゲートウェイ装置５は、インターネット６に接続されている。
【００１４】
移動通信端末１は、携帯電話、データカード型通信端末を具備したPC、ＰＨＳ、ポケットベル、タブレット端末、成人識別用非接触ICカードシステムが採用されている自動販売機に搭載されている携帯電話モジュール等の携帯電話回線を利用できる通信機器等の通信機器である。また、移動通信端末１は、通信可能なゲーム機器、通信可能な家電であってもよい。
【００１５】
無線基地局２は、３Ｇアクセスを収容するＲＮＣ（Radio Network Controller）、ＬＴＥ（Long Term Evolution）アクセスを収容するｅＮＢ（eNodeB）等である。
【００１６】
通信交換機３は、ＳＧＳＮ（Serving GPRS Support Node）、ＭＭＥ（Mobility Management Entity）、Ｓ−ＧＷ（Serving Gateway）等である。図１の例では、通信交換機３に、情報配信通知記憶部３１及び接続継続部３２が備えられている。
【００１７】
サービス制御装置４は、図１のように、判定部４１、通信部４２及び配信部４３を備える。後述するように、サービス制御装置４が、通信終了後に移動通信端末１に情報を配信するかどうかを判定し、接続が継続された状態において移動通信端末１に情報を配信する。サービス制御装置４は、通信交換機３及びゲートウェイ装置５に接続されており、これらの装置と通信可能である。
【００１８】
ゲートウェイ装置５は、ＧＧＳＮ（Gateway GPRS Support Node）、Ｐ−ＧＷ（PDN Gateway）等である。
【００１９】
以下、図３を参照しながら説明する。移動通信端末１が、インターネット６とパケット通信をしようとする場合、移動通信端末１は、パケット接続要求をゲートウェイ装置５に送信する（ステップＳ１）。パケット接続要求の送信は、無線基地局２及び通信交換機３を経由して行われる。
【００２０】
パケット通信の接続が許容される場合は、ゲートウェイ装置５は、パケット接続応答信号を応答として移動通信端末１に送信する（ステップＳ２）。応答の送信は、通信交換機３及び無線基地局２を経由して行われる。
【００２１】
また、ゲートウェイ装置５は、移動通信端末１のユーザ識別情報を含むパケット接続完了通知をサービス制御装置４に送信する（ステップＳ３）。ユーザ識別情報は、電話番号等のユーザを一意に識別できる情報のことである。
【００２２】
パケット接続完了通知を受信したサービス制御装置４の判定部４１は、このパケット通信の終了後に移動通信端末１に情報を配信するか否かの判定を行う（ステップＳ４）。情報を配信しないと判定された場合には、サービス制御装置４は処理を終了する。情報を配信すると判定された場合には、サービス制御装置４の通信部４２は、移動通信端末１のユーザ識別情報を含む情報配信通知を通信交換機３に送信する（ステップＳ５）。情報配信情報は、通信終了後に情報を配信することを表す通知である。
【００２３】
通信終了後に移動通信端末１に配信する情報とは、例えば通信で送受信されたパケット量のことである。通信が音声通話である場合には、通信終了後に移動通信端末１に配信する情報とは、例えば音声通話中に第三者から着信があったことを知らせる情報のことである。
【００２４】
判定部４１は、例えば、終了後に情報を配信する通信についての情報が予め登録されたデータベースに基づいて、通信の終了後に情報を配信するかどうかの判定を行う。この場合、ゲートウェイ装置５から受信したパケット接続完了通知に含まれるユーザ識別情報で通信を特定し、その特定された通信をキーとしてデータベースを検索することにより、通信の終了後に情報を配信するか判定する。データベースに登録された情報を適宜変更することで、様々な配信情報に対して柔軟に対応することが可能となる。
【００２５】
通信交換機３は、情報配信通知を受信した場合、その受信した情報配信通知を情報配信通知記憶部３１に記憶する（ステップＳ６）。
【００２６】
移動通信端末１は、ゲートウェイ装置５からの応答を受信した後に、インターネット６とパケット通信を行う（ステップＳ７）。
【００２７】
移動通信端末１は、パケット通信終了するときに、パケット通信の切断要求を通信交換機３に送信する（ステップＳ８）。切断要求の送信は、無線基地局２を経由して行われる。
【００２８】
通信交換機３は、切断要求を受信した場合、情報配信通知記憶部３１に情報配信通知が記憶されているか判定する（ステップＳ９）。すなわち、パケット通信の終了後に情報配信があるか否かを判定する。
【００２９】
通信交換機３は、情報配信通知記憶部３１に情報配信通知が記憶されていない場合には、通信の切断処理を実行する。
【００３０】
通信交換機３の接続継続部３２は、情報配信通知記憶部３１に情報配信通知が記憶されている場合には、パケット通信終了時に少なくとも移動通信端末１と通信交換機３との間の接続を継続させる（ステップＳ１０）。具体的には、接続継続要求を移動通信端末１に送信する。また、この場合、通信交換機３は、情報の配信を要求することを表す信号である情報配信要求をサービス制御装置４に送信する（ステップＳ１１）。
【００３１】
なお、この実施形態では、移動通信端末１と通信交換機３との間の接続だけではなく、移動通信端末１と通信交換機３との間の接続を含む移動通信端末１とゲートウェイ装置５との間の接続を継続している。
【００３２】
サービス制御装置４の配信部４３は、情報配信要求を受信した場合、移動通信端末１に配信する情報を取得し（ステップＳ１２）、移動通信端末１に向けて情報を配信する（ステップＳ１３）。この情報の配信は、無線基地局２及び通信交換機３を経由して行われる。また、この情報の配信は、通信終了後の接続が継続された状態において行われる。
【００３３】
サービス制御装置４は、移動通信端末１に配信する情報を取得するために、必要に応じて情報配信用のサーバ等から配信する情報を得てもよいし、サービス制御装置４自身が配信する情報を作成してもよい。
【００３４】
サービス制御装置４は、移動通信端末１への情報の配信が終了すると、情報配信応答を通信交換機３に送信する（ステップＳ１４）。情報配信応答は、移動通信端末１への情報の配信が終わったということを表す信号である。
【００３５】
通信交換機３は、情報配信応答信号を受信した場合、切断要求を移動通信端末１に送信するとともに（ステップＳ１５）、切断要求をゲートウェイ装置５に送信する（ステップＳ１６）。
【００３６】
移動通信端末１及びゲートウェイ装置５は、切断要求を受信した後に、接続の切断処理を行う。
【００３７】
このように、通信終了後の接続が継続された状態において情報配信を行うことにより、接続処理を再度行う必要がなくなるため、通信交換機及び無線基地局の処理負荷を軽減することができる。
【００３８】
［変形例等］
上記の例では通信がパケット通信である場合の動作を記述したが、通信が音声通話である場合においてもサービス制御装置４及び通信交換機３にて同様の制御を行うことで、同様の効果を得ることができる。
【００３９】
上記の例では、情報配信通知記憶部３１及び接続継続部３２は通信交換機３に備えられており、サービス制御装置４から通信交換機３に対して通信終了後の情報配信有無を通知し、通信交換機３にて接続継続の制御を行っている。しかし、この発明は、このような方式に限定されず、例えば移動通信端末１で情報配信時の接続継続処理を行ってもよい。この場合、図２に例示するように、情報配信通知記憶部３１及び接続継続部３２は、通信交換機３ではなく移動通信端末１に備えられる。
【００４０】
以下、図４を参照しながら、上記の例と異なる部分を中心に説明する。
【００４１】
移動通信端末１は、上記の例と同様にして、パケット接続要求をゲートウェイ装置５に送信する（ステップＳ１）
パケット接続要求を受信したゲートウェイ装置５は、ステップＳ２の処理の前に、移動通信端末１に配信する情報があるか否かを確認する旨の信号である情報配信有無確認信号をサービス制御装置４に送信する（ステップＳ３’）。
【００４２】
サービス制御装置４は、上記の例と同様にして、移動通信端末１に通信終了後に情報を配信するか否かを判定する（ステップＳ４）。
【００４３】
サービス制御装置４の通信部４２は、情報を配信すると判定された場合には、移動通信端末１のユーザ識別情報を含む情報配信通知を、ゲートウェイ装置５に送信する（ステップＳ５）。
【００４４】
ゲートウェイ装置５は、情報配信通知を受信した場合には、情報配信通知を含めた応答を移動通信端末１に送信する（ステップＳ２）。情報配信通知を含めた応答とは、例えば、「配信あり」という設定をしたパケット接続応答信号のことである。
【００４５】
移動通信端末１は、情報配信通知を受信した場合、その受信した情報配信通知を情報配信通知記憶部３１に記憶する（ステップＳ６）。
【００４６】
その後、移動通信端末１は、上記の例と同様にして、インターネット６とパケット通信を行う（ステップＳ７）。
【００４７】
移動通信端末１は、パケット通信終了するときに、情報配信通知記憶部３１に情報配信通知が記憶されているか判定する（ステップＳ９）。
【００４８】
移動通信端末１は、情報配信通知記憶部３１に情報配信通知が記憶されていない場合には、通信の切断処理を実行する。
【００４９】
移動通信端末１の接続継続部３２は、情報配信通知記憶部３１に情報配信通知が記憶されている場合には、パケット通信終了時に少なくとも移動通信端末１と通信交換機３との間の接続を継続させる。また、この場合、移動通信端末１は、情報の配信を要求することを表す信号である情報配信要求をサービス制御装置４に送信する（ステップＳ１１）。情報配信要求の送信は、無線基地局２及び通信交換機３を経由して行われる。
【００５０】
サービス制御装置４の配信部４３は、情報配信要求を受信した場合、上記の例と同様にして、移動通信端末１に配信する情報を取得し（ステップＳ１２）、移動通信端末１に向けて情報を配信する（ステップＳ１３）。この情報の配信は、通信終了後の接続が継続された状態において行われる。
【００５１】
移動通信端末１は、情報の配信の終了後に、切断要求をゲートウェイ装置５に送信することにより、接続の切断処理を行う（ステップＳ１５）。
【００５２】
サービス制御装置４は、通信交換機３又はゲートウェイ装置５に備えられていてもよい。同様に、サービス制御装置４を構成する判定部４１、通信部４２及び配信部４３は、必ずしも同じ装置に備えられている必要はなく、異なる装置に備えられていてもよい。
【００５３】
また、情報配信通知記憶部３１及び接続継続部３２も、必ずしも同じ装置に備えられている必要はなく、異なる装置に備えられていてもよい。
【００５４】
この発明は上記の実施形態に限定されるものではない。また、この発明の趣旨を逸脱しない範囲で適宜変更が可能であることはいうまでもない。
【符号の説明】
【００５５】
１      移動通信端末
２      無線基地局
３      通信交換機
３１    情報配信通知記憶部
３２    接続継続部
４      サービス制御装置
４１    判定部
４２    通信部
４３    配信部
５      ゲートウェイ装置
６      インターネット
【図１】
0006038444.tif 000002
【図２】
0006038444.tif 000003
【図３】
0006038444.tif 000004
【図４】
0006038444.tif 000005